(57)【要約】【課題】簡単な構成で駒を連結する連結軸を外部に露出させず、外観性を向上させ、しかも、製造コストの面でも従来技術に比して有利なバンドを提供する。【解決手段】内駒１を並べて、各内駒１の互いに近接する貫通孔３に連結軸５を挿入し、かつ２つの内駒１間に跨るように外駒２を配し、各内駒１の受け孔４に連結軸５の端部をそれぞれ挿入する。この状態で係止ピン６を外駒２の長孔開口７ａから外駒２に嵌入する。係止ピン６を嵌入すると、係止ピン６の中央部が連結軸５の係合孔５ａと係合嵌着し、かつ係止ピン６の両端部が長孔内で外駒２に嵌着する。これにより、内駒１と外駒２とが連結軸３を介して連結する。【選択図】図３
2010158500.tif 000002
【特許請求の範囲】
【請求項１】
内部に一対の貫通孔が設けられた内駒と、内部に一対の受け孔が設けられ、かつ前記内駒の両側にそれぞれ配置される外駒と、前記内駒の前記貫通孔を通して前記外駒の前記受け孔に挿入される連結軸とを備え、前記内駒の前記各貫通孔に、隣接する前記外駒の前記受け孔の一方をそれぞれ合わせた状態で前記連結軸を挿入することにより、複数の前記内駒と複数の前記外駒とを連結してなるバンドにおいて、
前記各外駒における他の外駒との対向側部に、開口が水平方向よりも下方向を向き、かつ前記受け孔に達する長孔を設け、この長孔に係止ピンを嵌入して、前記連結軸を係止したことを特徴とするバンド。
【請求項２】
前記各外駒の下側両隅部に内側に傾斜する傾斜面を設け、この傾斜面に前記長孔の前記開口を設けたことを特徴とする請求項１記載のバンド。
【請求項３】
前記外駒を、外駒同士が前記連結軸を中心として上側へ回動可能であり、下側へは前記開口が上外装面側から見えない範囲で回動規制される構成にしたことを特徴とする請求項１または２記載のバンド。
【請求項４】
前記開口が上外装面側から見えないように前記外駒の側面に、隣接する外駒の側面と当接する回動規制面を形成したことを特徴とする請求項１〜３いずれか１項記載のバンド。
【請求項５】
前記連結軸が平板状であることを特徴とする請求項１記載のバンド。
【請求項６】
前記係止ピンを前記長孔に嵌入した後、前記長孔に接着剤あるいは樹脂などを注入したことを特徴とする請求項１記載のバンド。
【発明の詳細な説明】
【技術分野】
【０００１】  本発明は、時計バンドなどに適用され、内駒および外駒を連結軸により複数個連結した構成のバンドに関するものである。
【背景技術】
【０００２】  時計バンドにおいて、上側が外装面であり、下側が装着者の腕に接する面となる内駒と外駒とからなる構成のものが多い。そのバンドの構成としては、内駒に設けられた貫通孔に、内駒の外両側に配される外駒に設けられた孔を合わせ、貫通孔と孔とに連結軸を挿入することにより、複数の内駒と複数の外駒とを順次連結してなるものである。【０００３】  前記連結軸の取り付けとしては、内駒と外駒とを貫通する孔に連結軸を外部から圧入する構成もの、あるいは連結軸自体がネジ構造になっているものなどがある。しかし、この場合、連結軸の端部が露出し、その端面が外部から見えることになる。
このため、外観を良くするため連結軸の端部，端面をバンドの側面から露出させないように工夫された各種バンドの構成が提案され、実施されている。【０００４】  例えば、特許文献１，２では、連結軸を駒の側部には露出させず、駒の下側（裏面）をネジ止めしたり、連結軸をネジ止めしたりして、バンドの上側および側面から駒の連結部材が見えないようにしている。【０００５】  また、特許文献３，４では、連結軸を駒の側部には露出させず、駒の下側に凹状の弾性を有するストッパ部材を嵌めて、ストッパ部材に設けた突起部により連結軸を係止することにより、バンドの上側および側面から駒の連結部材が見えないようにしている。
【先行技術文献】
【特許文献】
【０００６】
【特許文献１】実開昭６３−１５２４０９号公報
【特許文献２】特開２００７−６０１号公報
【特許文献３】実用新案登録第３０３３８７４号公報
【特許文献４】特開２００１−１９７９１１号公報
【発明の概要】
【発明が解決しようとする課題】
【０００７】  しかしながら、前記従来技術において、特許文献１，２では、連結軸の端面が駒の側部には露出しないものの、連結軸の端面より大きなネジ頭がバンドの下面に露出してしまう。しかも、この構成では、バンド用の小さなネジを取り付けるため、ネジ回しなどの煩雑な作業を伴う。【０００８】  また、特許文献３，４では、連結軸の端面が駒の側部には露出しないものの、連結軸の端面より大きなストッパ部材の底面部がバンドの下面に露出してしまう。また、ストッパ部材は、バンドの部品としては複雑な構造となり、かつ大型となる。そのためバンド全体としてコスト高となる。【０００９】  そこで、本発明は、前記従来技術の課題に鑑み、簡単な構成で駒を連結する連結軸を外部に露出させず、外観性を向上させ、しかも、コスト面でも従来技術に比して有利なバンドを提供することを目的とする。
【課題を解決するための手段】
【００１０】  本発明は前記課題を解決するため、内部に一対の貫通孔が設けられた内駒と、内部に一対の受け孔が設けられ、かつ前記内駒の両側にそれぞれ配置される外駒と、前記内駒の前記貫通孔を通して前記外駒の前記受け孔に挿入される連結軸とを備え、前記内駒の前記各貫通孔に、隣接する前記外駒の前記受け孔の一方をそれぞれ合わせた状態で前記連結軸を挿入することにより、複数の前記内駒と複数の前記外駒とを連結してなるバンドにおいて、前記各外駒における他の外駒との対向側部に、開口が水平方向よりも下方向を向き、かつ前記受け孔に達する長孔を設け、この長孔に係止ピンを嵌入して、前記連結軸を係止したものである。【００１１】  前記構成により、単純な係止ピンを用い、しかも、係止ピンを嵌入する外駒における長孔の開口位置を考慮したことにより、簡単かつ容易に連結軸の端面を駒の外周から見えないようにすることができる。【００１２】  また、前記各外駒の下側両隅部に内側に傾斜する傾斜面を設け、この傾斜面に前記長孔の前記開口を設けることにより、外駒の回動に支障を与えず、バンドの腕などに対するフィット感を低下させることもない。【００１３】また、前記外駒を、外駒同士が前記連結軸を中心として上側へ回動可能であり、下側へは前記開口が上外装面側から見えない範囲で回動規制される構成にすることにより、長孔の開口は通常の使用では上方の外装面側からは見えないようにすることができる。【００１４】  また、前記開口が上外装面側から見えないように前記外駒の側面に、隣接する外駒の側面と当接する回動規制面を形成することにより、駒の外形加工により簡単に駒の回動規制が可能になる。【００１５】  また、前記連結軸が平板状とすることにより、連結軸の製造が容易になる。【００１６】  また、前記係止ピンを前記長孔に嵌入した後、前記長孔に接着剤あるいは樹脂などを注入したことにより、係止ピンが確実に止められ、しかも、係止ピンの端部を外部に対して被覆することができる。
【発明の効果】
【００１７】  本発明によれば、外駒に係止ピンを嵌入するのみで、外駒と内駒とを連結する連結軸の端面を、駒の外周から見えないようにすることができるバンドの構造であるため、従来に比して簡単かつ容易に、しかもコスト高にならずに、外観性を向上させることが可能になる。
また、セラミック材などの無垢材からなる駒にも適用することができるなど実際上の効果が大である。
【図面の簡単な説明】
【００１８】
【図１】本発明の実施形態であるバンドの一部を示す平面図である。
【図２】本実施形態の側面図である。
【図３】本実施形態の分解斜視図である。
【図４】本実施形態における係止ピン嵌入状態を示す斜視図である。
【発明を実施するための形態】
【００１９】  以下、本発明の実施の形態を図面に基づいて説明する。
【００２０】  図１〜図４において、１は複数（図１，図２では２つのみ示している）の内駒、２は複数（図１，図２では内駒１の両側にそれぞれ３つのみ示している）の外駒、３は各内駒１にそれぞれ一対設けられた断面円形の貫通孔、４は各外駒２にそれぞれ貫通しないように一対設けられた断面矩形の受け孔、５は平板状の連結軸、６は係止ピン、７は係止ピン６が嵌入される長孔である。長孔７は、外駒２の外周面に開口７ａが形成され、貫通孔３を通り抜けるように外駒２に設けられている。
【００２１】  内駒１は、セラミック材などから一体成型されたものであり、外形が略半円形状をしている。外駒２もセラミック材などから一体成型されたものであり、外形は略半円形状をしているが、外周形状が内駒１と異なっている。
【００２２】  外駒２の外周面は、隣接する外駒２に対向する側面における下側両隅に内側に傾斜する傾斜面２ａが形成され、傾斜面２ａの上部に平坦面２ｂが形成され、平坦面２ｂの上部が外装面まで円弧面２ｃになっている。
【００２３】  隣り合う外駒２は、図４に示すように、互いの円弧面２ｃに沿って移動できて上方へ回動可能である。しかし、隣り合う外駒２の下方への回動は、互いの傾斜面２ａが当接して阻止され、回動規制されるようになっている。
【００２４】  外駒２の傾斜面２ａと平坦面２ｂとの境に長孔７の開口７ａが形成され、長孔７が開口７ａを下にして上方の貫通孔３へ向けて延出するように設けられている。
【００２５】  次に、本実施形態のバンドの組み立てについて説明する。
図３に示すように、内駒１を並べて、各内駒１の互いに近接する貫通孔３に連結軸５を挿入し、かつ２つの内駒１間に跨るように外駒２を配し、各内駒１の受け孔４に連結軸５の両端部をそれぞれ挿入する。そして、この状態で係止ピン６を各長孔７の開口７ａから外駒２に嵌入していく。
【００２６】  図２に示す状態が係止ピン６を嵌入した状態であって、係止ピン６の中央部が連結軸５の係合孔５ａと係合嵌着し、かつ係止ピン６の両端部が長孔７の内周に嵌着する。この状態で外駒２と内駒１が連結軸５を介して連結され、内駒１と外駒２とは連結軸５を介して互いに回動可能となる。よって、各駒がバンドの被装着部に沿って回動して、被装着部に対してフィットすることになる。
【００２７】  必要に応じて長孔７に、外駒２の外形色と同色の接着剤あるいは樹脂などを注入することによって、長孔７の開口７ａを外部に対して覆うことができる。
【００２８】  このようにして順次、内駒１と外駒２とを連結していく。その際、図４に示すように、隣接する一方の外駒２を上方へ回動させて、長孔７の開口７ａを外部に対して開放する。この状態で係止ピン６を、長孔７の開口７ａへ嵌入することにより、既に内駒１と外駒２に挿入されている連結軸５を上述したように係止する。このようにすることにより、係止ピン６の取り付け作業が容易になる。
【００２９】  上述したように、外駒２において、隣り合う外駒２の傾斜面２ａどうしが当接して、外駒２の下方への回動を阻止して外駒２の回動規制をしているため、バンドの通常の腕などに装着する使用法では、外駒２が下方へ回動し過ぎて開口７ａがバンド上側に現われることはなく、よって、開口７ａおよび連結軸３の端面が外装面側から見えるようなことはない。
【００３０】  なお、前記実施形態にて説明した内駒１，外駒２の形状、および連結軸３，係止ピン６などの形状などは、バンドの仕様などによって適宜変更されるため、図示したものに限定されない。
【産業上の利用可能性】
【００３１】  本発明は、時計バンドあるいは各種バンド類において、連結ピンなどが外部に現われない外観に優れたバンドとして有効である。特に、セラミックなどの一体成型される無垢状の駒を用いるバンドに適用される。
【符号の説明】
【００３２】１  内駒
２  外駒
２ａ  傾斜面
２ｂ  平坦面
２ｃ  円弧面
３  貫通孔
３ａ  係合孔
４  受け孔
５  連結軸
５ａ  係止孔
６  係止ピン
７  長孔
７ａ  長孔の開口
【図１】
2010158500.tif 000003
【図２】
2010158500.tif 000004
【図３】
2010158500.tif 000005
【図４】
2010158500.tif 000006